(57)【要約】      （修正有）【課題】果物の糖度を非破壊的に測定できる機能を携帯電子機器であるスマートフォンに組み込んだスマートフォンを提供する。【解決手段】近赤外線領域の光による糖度測定装置である投光部、受光部、分光処理部、光電変更部、を搭載し非破壊的に被測定物である果物の糖度計算をするためのデータを取り込みマイクロコンピュータで適宜にデータ処理しタッチパネル液晶モニターに表示することができる構成のスマートフォンとする。果物の種類及び品種別に甘さを表現する糖度が異なるのでＲＡＭに果物の種類及び品種別の糖度を登録し三段階に分けた名称で一般の消費者が分かりやすい測定果物の糖度表示をする。尚、携帯電子機器であるスマートフォンであるから糖度測定に必要なデータは、全て事前にＲＡＭに組み込まれたキャラクターによるアイコンをプログラムのステップの流れに合わせて表示されるので使用者は、アイコンをタッチするだけで簡単に操作できる。【選択図】図１
2014211418.tif 000002
【特許請求の範囲】
【請求項１】
携帯用電子機器であるスマートフォンに糖度を測定するための２５００ｎｍ以下の近赤外線領域の波長を含む光を照射する投光部（３）と照射した光の反射を受ける受光部（４，５）、受光した光を分光処理し電気信号に変換する分光処理光電変換部（２５）、電気信号をデータとして取り込みマイクロコンピュータで適宜にデータ処理し糖度計算をするデータ処理部を組み込んだことを特徴とするスマートフォン。
【請求項２】
上記のスマートフォンにおいて、糖度を測定する被測定物は、スマートフォンの表示部のタッチパネル液晶モニター（１１）に表示されるキャラクターのアイコンを指でタッチすることで、被測定物の果物の種類（図４で示す（Ｄ））及び果物の品種（図５で示す（Ｅ））を選べることを特徴とするスマートフォン。
【請求項３】
上記のスマートフォンの表示部のタッチパネル液晶モニターに表示する糖度を測定した果物の糖度表示（図６、図７、図８）は、Ｂｒｉｘ％糖度表示、キャラクターによる糖度表示、文字による糖度の甘さ表示、音声による甘さ表示することを特徴としたスマートフォン。
【請求項４】
上記のスマートフォンのデータ処理部において、被測定物である果物の種類及び果物の品種別に果物の完熟時における糖度の基準が異なるので一般的なＢｒｉｘ糖度で見ても判断が難しいので果物の種類及び品種別に糖度の範囲を３段階に区分（図９）し甘さを「美味しい！！、まあまあだね！！、あと一歩！！」の三種類で図６、図７、図８で示すように表示をすることを特徴としたスマートフォン。
【発明の詳細な説明】
【技術分野】
【０００１】  本発明は、スーパーの店頭において果物を購入するときの購入しようとする果物に光を照射し反射してくる光から果物の糖度を非破壊的に測定する機能を組み込んだスマートフォンの糖度計に関する。
【背景技術】
【０００２】果物等の糖度測定は、一般的に果物の一部を切り取って果汁を屈折計に載せて糖度を測定する。これは、糖度濃度により光が屈折する性質を利用したものである。市場や青果店の担当者が使用しているが、プロの使用するもので一般に消費者には馴染のないものである。また、近年では、果物の産地の果物選別所で果物の等級などの選別に近赤外線を活用した非破壊糖度計が活用されているが、プロが扱うものであることから固定型のものが多く表示もＢｒｉｘ％の目盛を基準としている。
【先行技術文献】
【特許文献】
【０００３】
【特許文献１】特開平９−８９７６７
【特許文献２】特公平７−９２４３３
【特許文献３】特開平５−２８８６７４
【特許文献４】特開平６−２１３８０４
【発明が解決しようとする課題】
【０００４】スーパーの店頭において消費者が、果物を購入しようとするとき選んだ果物が甘いか甘くないか何時も判断に迷い確信をもって甘い果物を選べない問題点があった。また、糖度が分かっても果物の種類品種別の食べごろの糖度基準が分からないので消費者に簡単なメッセージで食べごろを伝える表示方法に問題点があった。
消費者が糖度計を日常的に利用でき、しかも糖度表示が判りやすい、糖度計の操作が簡単、何時も携帯できて使用できる提供方法に関する問題点があった。
【０００５】そこで、本発明は、上記の問題点を鑑み、携帯用電子機器であるスマートフォンに非破壊糖度測定の機能を付加することを課題とするものである。
【課題を解決するための手段】
【０００６】  上記課題を解決するために、本発明携帯用電子機器であるスマートフォンは、近赤外線領域の光を使用した非破壊糖度測定機を組み込み、光電変換された電気信号により果物の糖度測定に関するデータをマイクロコンピュータによって適宜に処理し糖度の表示をする。
【０００７】糖度表示においては、消費者の判断しやすい文字・キャラクター・音声により表示する。
【０００８】誰でも簡単に操作できることが、必要なのでスマートフォンのタッチパネル液晶モニターに表示されるアイコンを指でタッチするだけで糖度測定が出来るようにする。
【発明を実施するための形態】
【０００９】  以下に、本発明携帯電子機器であるスマートフォンの実施の形態について、添付図面を参照して説明する。
【００１０】なお以下の実施の形態は、本発明をスマートフォン１に適用したものである。
【００１１】スマートフォン１は、図１に示すように、表部分（Ａ）にタッチパネル液晶モニター、裏部分（Ｂ）に光源部３、受光部ａ４、受光部ｂ５、スピーカー８等を備えたものである。
【００１２】そして、スマートフォン１には、近赤外線糖度測定装置１０が内蔵され、近赤外線の屈折率に基づいてＢｒｉｘ％を算出するデータが抽出されるようになっている。
【００１３】また、上記タッチパネル液晶モニター１１は、電話関連機能の使用時における様々なデータ及び各種プログラムの待ち受け画面と図４の（Ｃ）で示す糖度測定の待ち受けアイコン糖度計４０が表示される。待受けアイコン４０を指でタッチすることにより糖度測定の専用の表示部分図４（Ｄ）で示す糖度を測定する果物の種類を表示することが出来るようにされたものである。
【００１４】図２は、スマートフォン１の要部の構成例を概略的に示すブロック図であるが、スマートフォン特有の電話関連機能、メール関連機能、カメラ関連機能、ＧＰＳ機能等の一部の構成要素は省略したものである。
【００１５】上記糖度測定装置１０は、スマートフォン１の機能全ての機能を集中的に管理するマイクロコンピューター２０に接続される。
【００１６】マイクロコンピュータ２０は、大半の操作ボタンがタッチパネル液晶モニター１１に存在、スピーカー８、外部インターフェイス２６、ＲＡＭ２７、外部インターフェイス２６、糖度測定装置１０は変換信号インターフェイス（Ｉ／Ｆ）２４を介して接続されている。
【００１７】図３は、実施例の糖度を測定するプログラムの流れに沿った手順及び糖度測定結果の表示を示すフロー図、図４は実施例のタッチパネル液晶モニター１１に表示する待ち受けアイコン糖度計４０と果物の種類を選択するアイコン４１を示す図である。
【００１８】図５は、実施例の果物の品種アイコン４２及び糖度測定を開始アイコン４３を示す図である。
【００１９】図６、図７、図８は、実施例の糖度測定結果をタッチパネル液晶モニターに表示する図である。
【００２０】図９は、実施例の果物の測定糖度を表示するときに果物の種類品種別の糖度の範囲を３段階に区分し甘さを３種類で表現し一般の消費者が分かりやすくするための糖度データテーブル表である。
【００２１】図１０は、本発明の実施形態に係わる全体の流れを示す図である。
【００２２】次に実施例の動作について図１０の流れに沿って説明する。スマートフォン１においてタッチパネル液晶モニター１１に図４の（Ｃ）に示すアイコン４０が糖度計の待ち受けアイコンとして表示される。
【００２３】図１０で示される糖度測定種類品目指定部５０は、使用者がアイコン４０を指でタッチすると図３の（Ａ）で示すように糖度の測定を開始するための果物の種類品種を指定する画面である図４の（Ｄ）に示す果物の種類アイコンがタッチパネル液晶モニター１１に表示される。
【００２４】使用者がアイコン４１を指でタッチすると図３の（Ａ）で示すアイコンで品種を指定する３１に移り図５の（Ｅ）で示す糖度を測定する果物の品種を選択するアイコン一覧がタッチパネル液晶モニター１１に表示される。
【００２５】使用者がアイコン４２を指でタッチすると図３の（Ａ）で示す測定ボタンを押すに移り図５の（Ｆ）で示す糖度測定を開始するアイコン４３がタッチパネル液晶モニター１１に表示される。
【００２６】使用者がアイコン４３を指でタッチすると図１０で示す糖度測定装置１０が近赤外線投光部５１から遠赤外線を照射３し被測定物である果物の糖度測定が開始される。照射された光は被測定物から反射光が受光部４、受光部５を経て受光部分光処理部５２を経て電気信号変換部５３を経て図２で示す変換信号インターフェース２４でマイクロコンピューター２０に連動される。
【００２７】上記データは、図１０で示される電気信号に基づく受光度算出処理部５４から糖度演算部５５で糖度算出を行い図３の（Ｂ）で示される品種別糖度データ３４から糖度データ表示判定部３５に移すと共にスピーカー８に発信音“ピッ”を送る。
【００２８】糖度データ表示判定部３５はＲＡＭ２７に予め登録されている図９のデータと糖度計算データを照合し判定がＨであれば図６に示される内容をタッチパネル液晶モニターに表示する。また、スピーカー８に“美味しい”発声音を送る。
【００２９】尚、判定データがＮであれば図７に示される内容をタッチパネル液晶モニターで表示する。判定データがＳであれば図８に示される内容をタッチパネル液晶モニターで表示する。
【発明の効果】
【００３０】  以上に記載したことから明らかなように本発明携帯電子機器であるスマートフォンは、消費者が、スーパーの店頭で購入する果物の美味しさを糖度で見極める手助けとなり消費者の買い物が楽しくなる。
【００３１】また、果物の品種別の甘いと云われる糖度を３段階に分類し消費者が判断しやすい「美味しい・まあまあだね・あと一歩」表示にしたので誰でもが、甘さの見分けが簡単にでき果物の選別がしやすい。
【００３２】尚、本発明は、使用者が入力するデータについてタッチパネル液晶モニターに表示されるキャラクターアイコンを指でタッチするだけで簡単に行えるようにしたのでスーパーの店頭でも簡単に操作が出来、使いやすい。
【図面の簡単な説明】
【００３３】
【図１】図２、図３、図４、図５、図６、図７、図８、図９、図１０と共に本発明スマートホンの実施の形態を示すものであり、本図は外観を示す図である。
【図２】スマートフォンの要部の構成例を概略的に示すブロック図である。
【図３】糖度を測定するプログラムの流れに沿った操作手順及び糖度結果の表示に関する図である。
【図４】スマートフォンの待受画面に糖度計アイコンと糖度測定をする果物の種類を選択するアイコン図である。
【図５】タッチパネル液晶モニターに表示される糖度測定を測定する果物の品種を選択するアイコン表示とキャラクターをタッチすることで糖度測定を開始するアイコン図である。
【図６】スマートフォンのタッチパネル液晶モニターに表示される内容、糖度測定の結果表示図である。
【図７】スマートフォンのタッチパネル液晶モニターに表示される内容、糖度測定の結果表示図である。
【図８】スマートフォンのタッチパネル液晶モニターに表示される内容、糖度測定の結果表示図である。
【図９】果物の品種別のＢｒｉｘ％糖度データで各品種ごとに甘さを三段階に区分した図である。
【図１０】本発明の実施形態に係わるシステム全体の流れ図である。
【符号の説明】
【００３４】１・・・スマートフォン
２・・・カメラレンズ
３・・・光源部
４・・・受光部ａ
５・・・受光部ｂ
８・・・スピーカー
１０・・糖度測定装置
１１・・タッチパネル液晶ディスプレー
２０・・マイクロコンピュータ
２４・・変換信号インターフェース（Ｉ／Ｆ）
２５・・分光処理電気信号変換部
２６・・外部インターフェース（Ｉ／Ｆ）
２７・・ＲＡＭ
２８・・近赤外線投光部
２９・・近赤外線受光部
３０・・アイコンで果物の種類を指定する
３１・・アイコンで品種を指定する
３２・・測定ボタン（キャラクター）を押す
３３・・糖度測定データをもらう
３４・・品種別糖度データを読みに行く
３５・・糖度データ表示判別部
３６・・Ｈデータを表示「美味しい」
３７・・Ｎデータを表示「まあまあだね」
３８・・Ｓデータを表示「いま一歩」
３９・・スピーカーから「美味しい」を出力
４０・・待受けアイコン  アイコンをタッチすればアプリが起動
４１・・果物の種類のアイコン
４２・・果物の品種のアイコン
４３・・糖度測定を開始するアイコン
４４・・糖度結果を表示するアイコン（美味しい）
４５・・糖度結果を表示するアイコン（まあまあだね）
４６・・糖度結果を表示するあいこん（いま一歩）
５０・・糖度測定種類品目指定部
５１・・近赤外線投光部
５２・・受光部分光処理部
５３・・電気信号変換部
５４・・電気信号に基づく受光度算出処理部
５５・・糖度演算部
５６・・糖度算出データに基づく種類品目の糖度表示判定
５７・・表示部
【図１】
2014211418.tif 000003
【図２】
2014211418.tif 000004
【図３】
2014211418.tif 000005
【図４】
2014211418.tif 000006
【図５】
2014211418.tif 000007
【図６】
2014211418.tif 000008
【図７】
2014211418.tif 000009
【図８】
2014211418.tif 000010
【図９】
2014211418.tif 000011
【図１０】
2014211418.tif 000012
【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
糖度を測定する被測定物の第１のアイコンをタッチパネル液晶モニターに表示し、前記第１のアイコンが指でタッチされると、前記被測定物の測定の為に必要な動作をアナウンスするとともに指でタッチされることにより糖度測定を開始する第２のアイコンを前記タッチパネル液晶モニターに表示する表示部と、
前記第２のアイコンが指でタッチされると糖度を測定するための２５００ｎｍ以下の近赤外線領域の波長を含む光を照射する投光部と、
＿照射した光の反射を受ける受光部と、
＿受光した光を分光処理し電気信号に変換する分光処理光電変換部と、
＿電気信号をデータとして取り込みマイクロコンピュータで適宜にデータ処理し糖度計算をするデータ処理部と、
前記被測定物の測定の為に必要な動作が遵守されることにより計測が終了するタイミングで計測の終了を報知する報知部と、
を有することを特徴とするスマートフォン。
【請求項２】
前記被測定物は、果物であり、前記第１のアイコンは、前記被測定物の果物の種類及び果物の品種である請求項１に記載のスマートフォン。
【請求項３】
測定した果物の糖度を、Ｂｒｉｘ％糖度表示、キャラクタ−による糖度表示、文字による糖度の甘さ表示の形式で、音声による甘さの報知とともに前記タッチパネル液晶モニターに表示する請求項２に記載のスマートフォン。
【請求項４】
前記データ処理部は、果物の種類及び品種別に糖度の範囲を３段階に区分し甘さを「美味しい！！、まあまあだね！！、あと一歩！！」の三種類で表示する請求項１ないし３のいずれかに記載のスマートフォン。